(57)【特許請求の範囲】
【請求項１】
液体透過性トップシート、バックシート、および前記バックシートと前記トップシートの間にある吸収性コアを有する使い捨て吸収製品であって、
前記吸収性コアが、臭気を抑制する臭気抑制系として、カチオン性多糖類とともに臭気抑制剤であるキレート化剤および／または臭気吸収剤を含んでなることを特徴とする、使い捨て吸収製品。
【請求項２】
前記カチオン性多糖類が、キトサン、キトサン塩、修飾キトサン、架橋キトサンおよびこれらの混合物からなる群から選択されるキトサン材料である、請求項１に記載の使い捨て吸収製品。
【請求項３】
前記キトサン材料が、脱アセチル化度７５％以上を有する、請求項２に記載の使い捨て吸収製品。
【請求項４】
前記キトサン材料が、クエン酸、ギ酸、酢酸、Ｎ−アセチルグリシン、アセチルサリチル酸、フマル酸、グリコール酸、イミノ二酢酸、イタコン酸、乳酸、マレイン酸、リンゴ酸、ニコチン酸、サリチル酸、スクシンアミド酸、コハク酸、アスコルビン酸、アスパラギン酸、グルタミン酸、グルタル酸、マロン酸、ピルビン酸、スルホニル二酢酸、安息香酸、エポキシコハク酸、アジピン酸、チオ二酢酸、チオグリコール酸、アラニン、バリン、ロイシン、イソロイシン、プロリンフェニルアラニン、トリプトファン、メチオニン、グリシン、セリン、システイン、チロシン、アスパラギン、グルタミン、リジン、アルギニン、イスチジン、ヒドロキシプロリン、ピロリドンカルボン酸のキトサン塩またはこれらの混合物である、請求項２に記載の使い捨て吸収製品。
【請求項５】
カチオン性多糖類またはその混合物を０．５〜５００ｇｍ-2含む、請求項１〜４のいずれか１項に記載の使い捨て吸収製品。
【請求項６】
前記臭気抑制剤が、ゼオライト、炭素、珪藻土、デンプン、シクロデキストリンおよびその誘導体、多孔質珪藻土、粘土、イオン交換樹脂およびこれらの組み合せからなる群から選択される、請求項１に記載の使い捨て吸収製品。
【請求項７】
前記臭気抑制剤が、ホスホネートキレート化剤、アミノホスホネートキレート化剤、多官能基置換芳香族キレート化剤、アミノカルボキシレートキレート化剤、エチレンジアミンＮ，Ｎ’−二コハク酸、アスパラギン酸、グルタミン酸、マロン酸、グリシンおよびこれらの混合物などのその他のキレート化剤からなる群から選択されるキレート化剤である、請求項１に記載の使い捨て吸収製品。
【請求項８】
前記キレート化剤が、エチレンジアミン−テトラアセテート、−トリアセテート、−ジアセテート、−モノアセテート、エチレンジアミンＮ，Ｎ，二コハク酸、エチレンジアミンペンタ（メチレンリン酸）、エチレンジアミンテトラ（メチレンリン酸）およびこれらの混合物からなる群から選択される、請求項７に記載の使い捨て吸収製品。
【請求項９】
前記臭気抑制剤またはその混合物を１〜６００ｇｍ-2含む、請求項１〜８に記載の使い捨て吸収製品。
【請求項１０】
更に吸収性ゲル化材料を含む、請求項１〜９のいずれか１項に記載の使い捨て吸収製品。
【請求項１１】
前記吸収性ゲル化材料またはその混合物の量が、５〜２５０ｇｍ-2である、請求項１０に記載の使い捨て吸収製品。
【請求項１２】
前記使い捨て吸収製品が、生理用ナプキン、パンティライナ、タンポン、おむつ、失禁パッド、胸当て、発汗パッド、ヒトまたは動物用排泄物処理用具、陰唇間パッドまたは身体洗浄製品である、請求項１〜１１のいずれか１項に記載の使い捨て吸収製品。
【発明の詳細な説明】
【０００１】
（発明の分野）
本発明は、臭気、特に体液に起因する臭気を抑制するため、カチオン性多糖類、好ましくはキトサン材料を臭気抑制剤とともに包含する吸収製品などの製品に関する。
【０００２】
（発明の背景）
悪臭は多数の生物及び無生物を発生源として環境中に存在する。こうした臭気の感知を避ける又は最小限にするための多数の製品及び物品が入手可能である。特に、人体によって、又は発汗、尿、糞便、経血、おりものなどの体液から発生する悪臭を対象とした臭気抑制材料の提供が望まれている。
例えば、吸収製品などの物品は、尿、経血及び発汗などの体液を吸収するために人間が着用するように設計されている。吸収製品の例としては、衛生ナプキン、パンティライナ、使い捨ておむつ、失禁パッド、タンポン、発汗パッド、胸当てなどが挙げられる。
【０００３】
使用中、吸収製品は、例えば揮発性脂肪酸（イソ吉草酸など）、アンモニア、アミン（トリエチルアミンなど）、硫黄含有化合物（メルカプタン類、硫化物など）、アルコール、ケトン及びアルデヒド（フルアルデヒドなど）など、不快な臭気を発する様々な化合物を捕捉することが知られている。これらの化合物は体液中に存在することもあれば、体液がいったん婦人用パッドなどの吸収製品に吸収されてから、化学反応及び／又は液体分解作用によって発生することもある。また、体液は通常、腐敗性分解、酸分解、タンパク質分解、脂質分解などの分解作用によって、悪臭を発する副産物を生成することができる微生物及び／又は酵素を含む。使用中に吸収パッドが発する不快な臭気は、着用者に恥ずかしい思いをさせることがある。
当該技術分野において、上記の不快臭のいくつかを抑制する様々な悪臭抑制材料が開示されてきた。事実、マスキング即ち香料で悪臭を隠したり、体液に既に存在する臭気や分解後に発生する臭気を吸収する種々な技術的アプローチを用いた解決法が提供されてきた。
【０００４】
先行技術が目的としたもののほとんどは、臭気吸収技術に認められる。この種の化合物の例には、活性炭、粘土、ゼオライト、珪酸塩、デンプン、シクロデキストリン、イオン交換樹脂及びこれらの様々な混合物が挙げられ、例えば欧州特許第Ａ−３４８，９７８号、欧州特許第Ａ−５１０，６１９号、ＷＯ９１／１２０２９号、ＷＯ９１／１１９７７号、ＷＯ８９／０２６９８号及び／又はＷＯ９１／１２０３０号に記載がある。これらの臭気抑制剤は全て、悪臭化合物及びその前駆体を物理的に抑制剤で吸収し、それによって吸収製品などの製品から臭気が出るのを妨げるという作用によって、臭気を抑制すると考えられている。しかし、こうした作用は臭気そのものの生成を防止するものでなく、臭気の感知をすべて防ぐわけではないので、完全に有効なわけではない。
従って、これらの材料がある程度体液に起因する臭気を抑制するとしても、広範囲にわたる悪臭化合物に対する臭気抑制という点では更なる改善が求められている。
本発明の目的は、広範囲にわたる悪臭に対して効果的な臭気防止を提供することである。更に詳細には、広範囲にわたる悪臭に対して、優れた臭気抑制を提供する製品、特に使い捨て吸収製品を提供することが、本発明の目的である。
上記の目的が、製品、特に使い捨て吸収製品において、カチオン性多糖類を臭気抑制剤と組合せて臭気抑制系とすることで達成されることが分かってきている。
【０００５】
吸収製品など、典型的には体液と接触する製品中で、臭気抑制剤、典型的には臭気吸収剤（例えばゼオライト及び／又はシクロデキストリン）及び／又はキレート化剤（例えばエチレンジアミンテトラアセテート（ＥＤＴＡ））をカチオン性多糖類と組み合せることで、臭気抑制の点で相乗的効果が得られることが、驚くべきことに明らかになってきた。事実、吸収製品に体液が接触したとき、これら２つの成分区分のうちの一方（前記臭気抑制剤又は前記カチオン性多糖類のどちらか一方）だけを同じ総量で使用した場合の臭気の減少と比べて、この組合せでは臭気の減少が多くなる。
実際に、本明細書における物品にカチオン性多糖類と臭気抑制剤を併用することで、これらの臭気防止作用を結合することができ、それによって悪臭全体の感知を相乗的に減らし、あるいは防ぐことができる。
いかなる理論にも縛られずに述べれば、カチオン性多糖類、好ましくはキトサン材料は、複数の作用によって、体液に起因する悪臭成分の臭気抑制を果たすと考えられている。
【０００６】
第一に、多糖類の臭気吸収及び保持特性は、イオン化が可能なカチオン性官能基からなるポリマー構造の存在による。これらの基は通常アンモニウム基で、その大部分がポリマーが乾燥している場合は塩であるが、体液と接触すると解離し再利用される。ポリマー鎖は解離状態にある場合、ポリマー鎖に結合する一連の官能基を有し、この官能基は同じ電荷（例えば−ＮＨ3++Ｈ3Ｎ−）を有するために互いに反発する。これにより、ポリマー構造は膨脹し、陰性に荷電した悪臭分子を更に吸収することが可能になり、従ってその抑制が可能になる。
第二に、陽性に荷電した多糖類のカチオン基は、体液中の陰性に荷電したアニオン基、例えばタンパク質のカルボキシル基又は短鎖の酸（例えば酪酸）のような構造体を有するヒドロキシル基と相互に作用する。これにより、カチオン性多糖類とアニオン基を有するこうした分子との間に、３次元網が形成される（体液のゲル化）。このゲル化により、ほとんどの悪臭分子（脂質や酸など）が取り込まれ、悪臭が抑制される。
【０００７】
第三に、更に重要なことには、カチオン性多糖類、特にアミノ多糖類（キトサン材料）は抗菌剤として働くと考えられている。事実、陽性に荷電するカチオン基を有する多糖類は、微生物の細胞壁の陰性に荷電した表面に干渉し、それによってこれら微生物の生育を阻害し、死滅させさえする。また、カチオン性多糖類は酵素の陰性に荷電した表面にも干渉し、それによって細菌活性のように悪臭成分の形成の一因になりかねない酵素活性を不活化させる。更に、キトサン材料などのカチオン性多糖類は、脂質及び／又はミネラルなど微生物の栄養分のいくつかを結合させることで、その間接的な抗菌作用に基づき効力を発する。
驚くべきことに、キトサン材料などのカチオン性多糖類の存在により、臭気吸収剤などの臭気抑制剤の効果が増大する。いかなる理論にも縛られずに述べれば、本明細書のカチオン性多糖類、典型的にはキトサン材料は、酵素及び細菌の成長を抑制し、結果として体液内で発生する酵素及び細菌活性に起因する悪臭化合物の量を抑制すると推測されている。つまり、カチオン性多糖類は悪臭の生成を減少させるか、防ぎさえするため、抑制するべき悪臭の総量が減少する。これにより、臭気抑制剤、典型的には臭気吸収剤（例えばゼオライト及び／又はシクロデキストリン）が、活性物質量が少なくても作用できるようになる。実際にこのことは、本明細書において臭気抑制剤を使用することと同様に、より大きな効果をもたらす。更に言えば、本明細書においてカチオン性多糖類と共に使用するとき、臭気吸収剤が飽和点に達するのは、同じ条件でカチオン性多糖類がなく単独で使用する場合と比べて、使用期間を延長した後、典型的には体液と接触している吸収製品（パンティライナ、パッド）の着用期間を延長した後と考えられる。
【０００８】
都合がよいことに、臭気抑制剤、典型的には臭気吸収剤は、体液に存在する臭気だけでなく、ヘッドスペース（吸収製品と泌尿生殖器表面との間の空間）に存在する揮発性臭気も吸収することで、カチオン性多糖類の悪臭低減作用を助けると考えられている。従って、この組合せは、体液から抜け出し、そのため多糖類と直接接触することのない揮発性悪臭化合物に対しても有効である。実際に、この組合せは、これらの２種類の成分が単独で使用された場合には完全に抑制することのできない広範囲の悪臭化合物の臭気を抑制することができる。
驚くべきことに、カチオン性多糖類、即ちキトサン材料の表面にキレート化剤を配置することで、抗菌特性が増大する。いかなる理論にも縛られずに述べれば、本明細書で用いるキレート化剤は、その間接的な抗菌活性によって、カチオン性多糖類の抗菌特性を補完すると考えられている。事実、キレート化剤は、陽性に荷電した微生物の発育因子、典型的にはＣａ++、Ｋ+、Ｍｇ++などの微生物の養分のいくつかとの結合作用を有する。有益なことに、これら２種類の防止作用を組合せることで、臭気生成を相乗的に低減することができる。
本明細書における好ましい実施態様では、使い捨て吸収製品は、孔あきポリマーフィルムトップシートを有する。このトップシートは臭気抑制に関する利点を更に高めるのに役立つ。
【０００９】
本明細書におけるもう一つの好ましい実施態様では、使い捨て吸収製品は通気性バックシートを有する。これは臭気抑制に関する利点を更に高めるのに役立つ。本明細書における更に好ましい実施態様では、使い捨て通気性吸収製品は、通気性バックシートと孔あきポリマーフィルムトップシートの両方を有する。
本発明は、好ましくはパンティライナ、婦人用ナプキン、失禁パッド、おむつ、タンポン、陰唇間パッド、発汗パッド、外傷パッド、胸当て、ヒト又は動物用排泄物処理用具などの使い捨て吸収製品に関する。本発明に好適なその他の製品には、衣類、包帯、温熱パッド、にきび用パッド、冷却パッド、圧縮ガーゼ、外傷パッド／包帯剤など、体に接触させて着用するように設計した製品、含浸した拭き取り布／ティッシュなどの体の洗浄製品（例えば幼児用拭き取り布、女性衛生用拭き取り布など）、靴の中敷、下着への挿入物品などの発汗吸収製品、トイレ砂などの動物用製品も含まれる。
【００１０】
（発明の背景技術）
ＷＯ９９／６１０７９号は、使い捨ておむつ、トレーニング用パンツ、生理用ナプキン及びタンポンなどの製品において、トリグリセリド及びポリグリコシドを用いて、キトサン又はアルギン酸塩などの天然ポリマー及び界面活性剤で処理した合成ポリマーなどの組成物及び基材の悪臭吸収特性を強めるための臭気減少方法を開示している。
ＷＯ９９／３２６９７号は、キトサン及びキチンを基材とするポリマーが、ポリプロピレンのような疎水性素材の表面にコーティングされた場合、高い抗菌作用を示すことを開示している。
これらの参照のうち、カチオン性多糖類、典型的にはキトサン材料を、追加の臭気抑制剤、典型的にはゼオライト及び／又はシクロデキストリンなどの臭気吸収剤、又はエチレンジアミンテトラアセテートなどのキレート化剤とともに包含する製品を開示しているものは存在しないし、この組合せが相乗的な悪臭低減作用をもたらすという事実を開示しているものもない。
【００１１】
（発明の概要）
本発明は、臭気、特に体液に起因する臭気を抑制するため、カチオン性多糖類及び追加の臭気抑制剤を包含する製品、好ましくは使い捨て吸収製品に関する。本発明の好ましい実施態様において、製品は吸収性ゲル化材料も包含する。
【００１２】
（発明の詳細な説明）
本明細書において、「製品」とはカチオン性多糖類及び臭気抑制剤を包含することのできる、あらゆる三次元的な固形材料を指す。「使い捨て」という用語は、洗濯することを意図しない、あるいは他に物品として復元または再使用することを意図しない物品を本明細書で説明するために使用する（つまり、１回使用後に捨てられることを意図し、好ましくはリサイクルし、堆肥にするか、あるいは環境に適した方法で捨てることを意図する）。「吸収製品」という用語は、流体及び／又は排泄物、特に体液及び／又は体からの排泄物を受け入れる及び／又は吸収及び／又は含有及び／又は保持することのできるあらゆる製品をきわめて広い意味で本明細書で説明するために用いる。
【００１３】
本発明に基づく好ましい製品は、体が排出した流体／排泄物を吸収するために着用者の体に接触させて着用するように設計した使い捨て吸収製品を含み、例えば、パンティライナ、衛生ナプキン、生理用ナプキン、失禁用インサート又はパッド、おむつ、タンポン、陰唇間パッド又はインサート、胸当て、ヒト又は動物用排泄物処理用具などを含む。典型的にはこれらのヒトの尿又は糞便処理用具は、孔を有する袋と孔の周囲にフランジがあり、このフランジは着用者の泌尿器及び/又は肛門の領域と好ましくは接するように留めるためのものである。当業界で周知の尿又は糞便処理用具は、いずれも本明細書に用いるのに好適である。このような処理用具は、例えばＷＯ９９/０００８４〜９９/０００９２号に記述されている。本発明に好適なその他の物品には、体に接触又は近接させて配置するように設計したその他の物品（例えば、衣類、包帯、温熱パッド、にきび用パッド、冷却パッド、圧縮ガーゼ、外傷パッド又は包帯剤など）、発汗を吸収する物品（例えば、靴の中敷、下着への挿入物、発汗パッドなど）、体を洗浄するための物品（例えば、含浸した拭取り布又はティッシュ（例えば、幼児用拭取り布、女性衛生用拭取り布）など）、動物用の物品（例えば、トイレ砂など）も含まれる。
本明細書における「体液及び／又は排泄物」という用語は、自然に又は例えば皮膚切断の場合のように事故によって生じる、発汗、尿、月経液、糞便、膣分泌物などのヒト又は動物の体が生産するあらゆる排泄物／流体を意味する。
【００１４】
カチオン性多糖類
本発明によれば、製品はその必須成分としてカチオン性多糖類又はその混合物を包含する。
本明細書に用いるのに好適なカチオン性多糖類は、カチオン性官能基の存在により、陽性に荷電した多糖類である。本明細書で用いるのに好適な多糖類としては、天然及び半合成のカチオン性多糖類が挙げられる。好適なカチオン性官能基の例としては、塩基の形で存在する、一級、二級又は三級アミン基又は四級アンモニウム基が挙げられる。好ましくは、四級アンモニウムが存在するのがよい。本明細書に用いるカチオン性多糖類は、多糖類ヒドロキシ基と反応することのできる基を少なくとも１つ含む四級アンモニウム化合物を余分に有する、セルロースなどの繊維性多糖類であってよい。こうしたカチオン性多糖類に関しては、ＷＯ９２／１９６５２号及びＷＯ９６／１７６８１号に記載があり、これらは参照として本明細書に組み込まれている。本明細書においてきわめて好ましいのは、アミノ多糖類、即ちキチンを基材とする材料、キトサン材料及びこれらの混合物である。
【００１５】
本明細書で使用する時「キトサン材料」とは、キトサン、修飾キトサン、架橋キトサン及びキトサン塩を指す。
キトサンは、天然多糖類であるキチンが部分的又は完全に脱アセチル化したものである。更に言えば、キトサンは、キチン（ポリ−β（１，４）−Ｎ−アセチル−Ｄ−グルコサミン）を脱アセチル化することによって調製されることが多いアミノ多糖類である。
キチンは、キノコ類の細胞壁や昆虫及び甲殻類の固い殻など、自然界に広く存在する。エビ、ロブスター、カニなどの魚介類を扱う産業からの廃棄物は、典型的には約１０〜約１５％のキチンを含むため、明らかに入手しやすい供給源である。自然状態では、一般にキチンは甲殻類の甲羅又は腱から取れるような、細かいフレーク又は短い繊維素材にのみ認められる。一般には、セルロース誘導体の供給体である綿のように、溶解及び再沈殿又は復元を必要とせずに有用な形状の物品を形成する供給源はない。
更に具体的に言えば、キチンはムコ多糖であり、以下に記載する化学式を有するポリ−Ｎ−アセチル−Ｄ−グルコサミンであって、
【００１６】
【化１】
0004738699.tif 000002
【００１７】
ｘは重合度を示す。ｘは、正確に決定することはできないが、通常約３０〜約５０，０００であると考えられている。
キトサンは単独かつ具体的な化学物質として定義することはできないが、製造条件によって左右される多様な組成物として存在する。可溶性アミン塩を生成するのに十分なだけ脱アセチル化した場合には、キトサンをキチンと同じように定義することができる。キトサンはＤ−グルコサミンのβ−（１−４）多糖類であり、セルロースのＣ−２ヒドロキシル基がキトサンでは一級アミン基であること以外は、セルロースと同じ構造を有する。キトサンは、多数の遊離アミン基によって、ポリマー弱塩基になる。キトサン溶液は一般に、天然ゴム溶液のように粘度が高い。
本明細書で用いるキトサンは、好適には比較的純度の高いものである。純粋なキトサンの製造方法はよく知られている。一般には、キチンを粉状に挽き、酢酸などの有機酸で脱塩する。次に、水酸化ナトリウムなどで塩基処理してタンパク質及び脂質を除去した後、４０％水酸化ナトリウムなどの濃縮塩基で処理してキチンを脱アセチル化する。得られたキトサンを、望ましいｐＨになるまで水で洗浄する。
【００１８】
アミノ多糖類、特にキトサンの特性は、その高分子電解質及び重合炭水化物の性状と関連する。即ち、キトサンは一般に水、ｐＨが約６．５以上のアルカリ溶液又は有機溶媒には不溶である。一般に、ギ酸、酢酸、酒石酸、グリコール酸、乳酸及びクエン酸などの有機酸の希釈液には容易に溶解し、例えば硫酸は除き、鉱酸の希釈液にも容易に溶解する。一般にキトサンを溶解するのに要する酸の量は、おおよそアミノ基と化学量論的に比例する。キトサン材料中に存在するアミノ基のｐＫａは６．０〜７．０であるため、きわめて低濃度の酸又はほとんど中性に近い溶液中でプロトン化することができ、このバイオポリマーはカチオン性の性状を有するようになる。このカチオン性状が、キトサン材料の多くの利点の基本になる。更に一般的には、キトサン材料のようなカチオン性多糖類は、タンパク質（例えば微生物及び／又は酵素のタンパク質の陰性に荷電した細胞壁構築に干渉することで、抗菌剤として働いたり、経血などの体液中に存在するタンパク質と反応することで、こうした流体のゲル化剤として働いたりする）のように、又は、本明細書において任意成分として存在することのできるアニオン性吸収性ゲル化材料（本明細書の好ましい実施態様において、カチオン性多糖類の臭気抑制特性を更に高め、電解質含有溶液の存在下でも優れた吸収特性を提供する）のように、高い電荷密度を有し、陰性に荷電した表面と相互作用することができる直鎖の高分子電解質であると考えることができる。
【００１９】
本明細書で用いるのに好ましいキトサン材料は、脱アセチル化（Ｄ．Ａ．）度が７５％以上、好ましくは８０〜約１００％、更に好ましくは９０〜１００％、最も好ましくは９５〜約１００％である。この脱アセチル化度は、脱アセチル化されたアミン基の割合に相当する。この特性は水素結合と直接関連するが、この水素結合はバイオポリマー中に存在し、その構造、溶解度及び最終的にはその反応性に影響を与える。脱アセチル化度は、滴定、色素吸着法、分光法、赤外線分光法、核磁気共鳴分光法によって測定する。
脱アセチル化度は、キトサン材料のカチオン性状に影響する。脱アセチル化度を上げることによって、キトサン材料のカチオン特性も増大し、そのため抗菌特性、吸収力、ゲル化性能も向上する。
【００２０】
本明細書に用いるのに好適なキトサン材料には、水溶性及び非水溶性キトサンのいずれもが含まれる。本明細書で使用する時、実質的に大量の水に溶解し、透明かつ安定した溶液になり、それによって元来の粒子形状を失い、主として分子状に水溶液全体に分散する場合に、キトサン材料は水溶性であると考えられる。本明細書に用いるのに特に好適なキトサン材料は水溶性である。即ち、２５℃、１気圧下で、水１００ｇに対して、少なくとも０．５ｇ、好ましくは少なくとも１ｇ、最も好ましくは少なくとも２ｇのキトサン材料が溶解するのがよい。本明細書で使用する時、任意の化合物の「溶解度」とは、２５℃、１気圧下において、脱イオン水に沈殿を生じずに溶解した前記化合物の量を指す。
一般的に、架橋によってキトサン材料は非水溶性になるため、水溶性キトサン材料の実質的な架橋度はゼロである。
本明細書で指定する水溶性キトサン材料は、体液中に存在し溶解するほとんどの臭気化合物ほとんどに対して、臭気抑制の面でより高い働きをするという利点がある。更に、このような水溶性キトサン材料は、短鎖の酸（例えば酪酸）又は低分子量アルコール（例えばエタノール）などの水溶性臭気化合物の吸収及び／又は静電気的な干渉を行う能力を有する。
【００２１】
キトサン材料（即ち、キトサン、−キトサン塩、修飾キトサン、架橋キトサン）は、一般に幅広い分子量を有してよい。幅広い分子量のキトサン材料は、本発明に用いるのに好適であり、典型的には本発明に用いるキトサン材料は、分子量がグラムモルあたり１，０００〜１０，０００，０００ｇ、更に好ましくは２，０００〜１，０００，０００ｇである。分子量とは、重量平均分子量を指す。キトサン材料の重量平均分子量を計測する方法は、当業界において知られている。典型的な方法には、例えば光散乱法、固有粘度及びゲルろ過クロマトグラフィーがある。一般に、キトサン材料の分子量を示すのに最も都合がよいのは、２５℃においてブルックフィールド粘度計で計測した１．０重量パーセント水溶液におけるその粘度である。キトサン材料の粘度は、対応するキトサン塩の粘度を１．０重量パーセント酢酸水溶液を用いて計測することで、間接的に計測するのが一般的である。本発明に用いるのに好適なキトサン材料は、好適には２５℃における１．０重量パーセント水溶液中の粘度が、約１ｍＰａ（１センチポアズ）〜約８０，０００ｍＰａ（８０，０００センチポアズ）、更に好適には約３０ｍＰａ（３０センチポアズ）〜約１０，０００ｍＰａ（１０，０００センチポアズ）、更に好適には５０ｍＰａ（５０センチポアズ）〜約１，０００ｍＰａ（１，０００センチポアズ）、最も好適には１００ｍＰａ（１００センチポアズ）〜約５００ｍＰａ（５００センチポアズ）であるのがよい。
【００２２】
キトサン材料のｐＨは、キトサン材料の調製法に影響を受ける。本明細書で用いるのに好ましいキトサン材料は酸性であり、典型的にはｐＨが４〜６、更に好ましくは４〜５．５、更に好ましくは４．５〜５．５であるのがよい。きわめて好ましいｐＨ値は皮膚のｐＨに相当する約５である。本明細書で使用する時、キトサン材料のｐＨとは、ｐＨ計で測定した１％キトサン溶液（キトサン材料１ｇを蒸留水１００ｇに溶解した溶液）のｐＨ値である。
キトサン材料のカチオン特性、即ちその抗菌力、吸収力及びゲル化力は、酸性度が高くなるほど増大する。ただし、酸性度が高すぎると、皮膚の安全性を害する。このため、本発明に用いるのにきわめて好ましいキトサン材料は、ｐＨが４．５〜５．５であって、それにより片面には臭気抑制特性と流体捕捉特性との最良のバランスを、残る片面には皮膚との適合性を提供するものである。
【００２３】
本明細書に用いるのに特に好適なアミノ多糖類としては、アミノ多糖類塩、特にキトサン塩が挙げられる。キトサン塩のようなアミノ多糖類を生成するためには、様々な酸を用いることができる。本明細書に用いるのに好適な酸は、水溶性であるか部分的に水溶性であり、アミノ多糖類のアンモニウム塩を生成するのに十分なだけ酸性であって、アミノ多糖類の加水分解を起こすほど酸性ではなく、脱アセチル化アミノ多糖類の反応部位がプロトン化するのに十分な量存在する酸である。
好ましい酸は、以下に記載する化学式で示すことができる。
【００２４】
Ｒ−（ＣＯＯＨ）n
ｎは１又は２又は３であり、Ｒは炭素、水素及び任意的には酸素、窒素及びイオウのうち少なくとも１つからなるモノ−又は二価の有機ラジカルであるか、単純にヒドロキシル基である。好ましい酸は、炭素、水素、酸素及び窒素からなるモノ−及びジ−カルボン酸（本明細書で後述する際はアミノ酸とも呼ぶ）である。こうした酸は、人体に接触させるか近接させて用いる場合に、生物学的に許容されやすいため、本明細書で用いるのにきわめて望ましい。上に記載の酸に加えて、実例となる酸には、クエン酸、ギ酸、酢酸、Ｎ−アセチルグリシン、アセチルサリチル酸、フマル酸、グリコール酸、イミノ二酢酸、イタコン酸、乳酸、マレイン酸、リンゴ酸、ニコチン酸、２−ピロリドン−５−カルボキシル酸、サリチル酸、スクシンアミド酸、コハク酸、アスコルビン酸、アスパラギン酸、グルタミン酸、グルタル酸、マロン酸、ピルビン酸、スルホニル二酢酸、安息香酸、エポキシコハク酸、アジピン酸、チオ二酢酸及びチオグリコール酸がある。アミノ多糖類とこれらの酸のいずれかとを反応させて生成したアミノ多糖類塩、特にキトサン塩であれば、いかなるものでも本明細書で使用するのに好適である。
【００２５】
無機酸によって生成されるキトサン塩の例には、キトサン塩酸塩、キトサン臭化水素酸塩、キトサンリン酸塩、キトサンスルホン酸塩、キトサンクロロスルホン酸塩、キトサンクロロ酢酸塩及びこれらの混合物が挙げられるが、これに限定されない。有機酸によって生成されるキトサン塩の例には、キトサンギ酸塩、キトサン酢酸塩、キトサン乳酸塩、キトサングリコール酸塩、キトサンマロン酸塩、キトサンエポキシコハク酸塩、キトサン安息香酸塩、キトサンアジピン酸塩、キトサンクエン酸塩、キトサンサリチル酸塩、キトサンプロピオン酸塩、キトサンニトリロ三酢酸塩、キトサンイタコン酸塩、キトサンヒドロキシ酢酸塩、キトサン酪酸塩、キトサンイソブチル酸塩、キトサンアクリル酸塩及びこれらの混合物が挙げられるが、これに限定されない。また、例えば無機酸と有機酸のいずれもを用いるなど、酸の混合物を用いてキトサン塩を生成するのも好適である。
【００２６】
本明細書に用いるのに好ましいアミノ多糖類塩、特にキトサン塩は、アミノ多糖類とアミノ酸を反応させて生成したものである。アミノ酸は、酸とアミノ官能基のいずれをも含む分子である。アミノ酸の使用は、アミノ多糖類アミノ酸塩が皮膚適合性に優れていることから、きわめて好ましい。事実、アミノ酸のほとんどが皮膚上に自然な形で存在し、従って非刺激性である。ピロリドンカルボン酸のキトサン塩は、有効な保湿剤であり、皮膚に対して非刺激性である。こうしたキトサン材料は、再湿潤が予期しないほど少なかった場合及び／又は製品が誤用された場合に好適である。
本明細書に用いるアミノ酸には、直鎖及び／又はシクロアミノ酸のいずれもが含まれる。本明細書に用いるアミノ酸の例には、アラニン、バリン、ロイシン、イソロイシン、プロリンフェニルアラニン、トリプトファン、メチオニン、グリシン、セリン、システイン、チロシン、アスパラギン、グルタミン、アスパラギン酸、グルタミン酸、リジン、アルギニン、ヒスチジン、ヒドロキシプロリンなどが挙げられるが、これに限定されない。特に好適なシクロアミノ酸の例は、以下に記載する化学式のようなピロリジン−２−オンのカルボン酸である、ピロリドンカルボン酸である。
【００２７】
【化２】
0004738699.tif 000003
【００２８】
きわめて好ましいキトサン塩は、キトサン（巨大分子）とピログルタミン酸（独立したモノマー）との混合物であるキトサンピログルタミン酸塩、２−ピロリドン−５−カルボン酸のキトサン塩であるキトソニウムピロリドンカルボン酸塩である。
こうしたアミノ多糖類塩の調製方法を記載したＷＯ９８／０７６１８号が参照として組み込まれている。
本明細書に用いるのに好適なその他のアミノ多糖類材料としては、架橋アミノ多糖類及び修飾アミノ多糖類、特に架橋キトサン及び修飾キトサンが挙げられる。
【００２９】
本明細書に用いるのに好適な架橋剤は、アミノ多糖類上、典型的にはキトサン材料上にある活性基と反応することができる少なくとも２つの官能基又は基を有する有機化合物である。こうした活性基の例には、カルボン酸（−ＣＯＯＨ）、又はヒドロキシル（−ＯＨ）基が挙げられるが、これに限定されない。こうした好適な架橋剤の例には、ジアミン、ポリアミン、ジオール、多価アルコール、ジカルボン酸、ポリカルボン酸、アミノカルボキシレート、アミノポリカルボン酸、ポリオキシドなどが挙げられるが、これに限定されない。キトサン溶液に架橋剤を加える方法の一つは、溶液を調製する最中に架橋剤をキトサンと混合することである。このほか、好適な架橋剤にはＣａ2+、Ａｌ3+、Ｆｅ3+、Ｃｅ3+、Ｃｅ4+、Ｔｉ4+、Ｚｒ4+及びＣｒ3+など、２＋以上の金属イオンが含まれる。キトサン上のカチオンは抗菌特性を有するため、本明細書ではカチオンと反応する架橋剤は、代わりの架橋剤が入手できない場合を除いては使用しないのが好ましい。
【００３０】
本明細書で架橋剤を使用する場合の実施態様において、架橋剤の好適な量は、架橋キトサンを調整するのに用いられるキトサンの乾燥総重量の０．００１〜３０重量％、更に厳密には０．０２〜２０重量％、更に厳密には０．０５〜１０重量％、最も好ましくは０．１〜５重量％である。
本明細書に用いる修飾キトサン又はキチンは、グルカンの鎖が側基を持つあらゆるキトサン又はキチンである。こうした修飾キトサンの例には、カルボキシメチルキトサン、メチルピロリジノンキトサン、グリコールキトサンなどが挙げられる。メチルピロリドンキトサンに関しては、例えば米国特許第５，３７８，４７２号に記載があり、これは参照として本明細書に組み込まれている。水溶性グリコールキトサン及びカルボキシメチルキトサンに関しては、例えばＷＯ８７／０７６１８号に記載があり、これは参照として本明細書に組み込まれている。
本明細書に用いるのに特に好適な修飾キトサンには、水溶性共有結合キトサン誘導体又は、親電子有機試薬とキトサン塩を接触させることによって得られるイオン結合キトサン誘導体が挙げられる。こうした水溶性キトサン誘導体に関しては、欧州特許第Ａ７３７，６９２号に記載があり、これは参照として本明細書に組み込まれている。
【００３１】
キトサン誘導体の調製に用いるのに好適な親電子有機試薬は、１分子当たり２〜１８個の炭素原子又はそれ以上の炭素原子を含み、典型的には１分子当たり２〜１０個の炭素原子を含む。更に、親電子有機試薬は反応性基を含み、この基は求核原子と共有結合を形成できる。典型的な親電子有機試薬には、例えば、ラウリル、クロロ硫酸ナトリウム、ジメチル硫酸塩、クロロエタン硫酸ナトリウム、モノクロロ酢酸、アルキルフェニルグリシジルエーテル、グリシジルトリメトキシシラン、１，２−エポキシドデカンなどの、エチレンオキシド、プロピレンオキシド、ブチレンオキシド、グリシドール、３−クロロ−１，２−プロパンジオール、メチルクロライド、エチルクロライド、無水イサトイン酸、無水コハク酸、無水オクテニルコハク酸、無水酢酸、γ−ブチロラクトン、β−プロピオラクトン、１，３−プロパンスルトン、アクリルアミド、グリシジルトリメチル塩化アンモニウム、グリシジルジメチル塩化アルキルアンモニウムが挙げられる。親電子有機試薬の好ましい種類の一つには、エポキシド基、少なくとも１つの酸性基、好ましくは２つの酸性基を含み、１分子当たり３〜１８個、好ましくは３〜６個の炭素原子を有する親電子有機試薬がある。その他の好ましい親電子有機試薬には、シス−親電子有機試薬及びトランス−親電子有機試薬があるが、特に好ましいのはシス−親電子有機試薬である。親電子有機試薬は、キトサンの遊離アミン又は未修飾ヒドロキシル基のいずれかと反応してよい。キトサンのアミノ基が一般にヒドロキシル基よりも強い求核性部位であることは知られている。その結果、弱い求電子原子は、キトサンのヒドロキシル基よりもアミン基と容易に反応する。
【００３２】
好ましくは、親電子有機試薬の有効量をキトサン上に置換して、キトサン誘導体の望ましい特性、即ち水溶性という特性を得る。典型的には、本明細書に用いるのに好適なのは、グルコサミンモノマー単位１モル当たり、親電子有機試薬のモル置換度が０．０３〜１０モルであるキトサン誘導体（修飾キトサン）である。モル置換度（ＭＳ）という用語は、キトサン上に置換される親電子有機試薬のグルコサミンモノマー単位１モル当たりのモル数を意味する。
更に、親電子有機試薬のほかに、ヒドロキシアルキルエーテル基（例えばヒドロキシエチル又はヒドロキシプロピルエーテル基）、カルボキシアルキルエーテル基（例えばカルボキシメチル基）、アミド基（例えばスクシニル基）、エステル基（例えばアセテート基）又はアミノ基（例えば３−（塩化トリメチルアンモニウム）−２−ヒドロキシルプロピル又は３−（塩化ジメチルオクタデシルアンモニウム）−２−ヒドロキシプロピルエーテル基）などのその他の置換基が加わった修飾キトサンも調製することができる。これらのその他の置換基は、親電子有機試薬との反応前又は反応後に導入するか、キトサン塩と親電子有機試薬及びその他の誘導体化試薬とを反応させるのと同時に導入してよい。
【００３３】
典型的には、こうした共有結合キトサン誘導体は次のような工程を経て得ることができる。（ａ）キトサン塩（例えば既に記載のいずれか）を有効量の水性腐食媒質中で分散させ、遊離アミン基を含む中和キトサンを生成する。（ｂ）親電子有機試薬を泥状物中に加える。（ｃ）キトサン上における親電子有機試薬の置換を促進するのに有効な温度及び期間で泥状物を維持して共有結合キトサン誘導体を生成し、共有結合キトサンを水性媒質に溶解させる。キトサン誘導体は、塩、即ちイオン結合体からも、共有結合体からも調製することができる。こうしたキトサン誘導体の調製法に関しては、欧州特許第Ａ−７３７，６９２号に詳細な記載があり、これは参照として本明細書に組み込まれている。
好適なキトサンは多数の業者から購入できる。市販されているキトサン材料の代表的なものは、例えばVanson Companyから購入できるものである。本明細書に用いるのに好ましいキトサン塩は、脱アセチル化度が８５％以上で、水への溶解度が１％（２５℃、１気圧下で蒸留水１００ｇに１ｇが溶解する）、ｐＨが４．５、粘度が１００〜３００ｃｐｓであるキトサンピロリドンカルボン酸塩である。キトサンピロリドンカルボン酸塩は、Kytamer（登録商標）PCという名前でAmerchol Corporationが市販している。
典型的には、使い捨て吸収製品のような製品は、カチオン性多糖類又はその混合物を０．５〜５００ｇｍ-2、好ましくは１〜２００ｇｍ-2、更に好ましくは３〜１００ｇｍ-2、最も好ましくは４〜５０ｇｍ-2包含する。
【００３４】
臭気抑制剤
本発明に基づく製品は、上に記載のカチオン性多糖類又はその混合物の表面に、更に少なくとも１つの追加の臭気抑制剤又はその混合物を包含する。
典型的には、本明細書の使い捨て吸収製品のような製品は、臭気抑制剤又はその混合物を１〜６００ｇｍ-2、更に好ましくは５〜４００ｇｍ-2、最も好ましくは１０〜２００ｇｍ-2包含する。
本明細書に用いるのに好適な臭気抑制剤としては、当該技術分野において既知の臭気吸収剤、即ち活性炭、粘土、ゼオライト、多孔質珪藻土、珪藻土、デンプン、シクロデキストリン、イオン交換樹脂などが挙げられる。本明細書において好ましいのは、ゼオライト及び／又はシクロデキストリンである。本明細書に用いるのに好適なその他の臭気抑制剤としては、キレート化剤又はその混合物が挙げられる。本明細書における製品は、臭気吸収剤とキレート化剤の混合物を含むことができる。
【００３５】
本発明は、カチオン性多糖類、特にキトサン材料が臭気抑制剤、好ましくは臭気吸収剤（好ましくはゼオライト及び／又はシクロデキストリン）及び／又はキレート化剤（好ましくはエチレンジアミンテトラアセテート）とともに存在することによって、体液、特に経血に起因する悪臭に対して、相乗的な臭気抑制効果を提供するという発見に基づく。
本明細書におけるカチオン性多糖類は、典型的には体液中の細菌及び酵素の成長を低減、更には阻害することで、体液に起因する悪臭化合物の総量を減少させて、悪臭化合物の生成を防ぐと推測される。これにより、臭気吸収剤の吸収活性の中心部が飽和するまでの期間が延長され、臭気吸収剤をより効果的に使用することができる。有益なことに、ゼオライト又はシクロデキストリン又はこれらの誘導体のようなこれらの臭気吸収剤は、典型的には吸収製品中で、それと接触する体液中に存在する悪臭化合物を吸収するだけでなく、吸収製品中の臭気抑制剤としてカチオン性多糖類しか存在しなければ抑制できないような、吸収製品のヘッドスペースに存在する揮発性悪臭化合物も吸収することによって、体液／排泄物に起因する臭気を抑制する。
本明細書の好ましい実施態様においては、カチオン性多糖類と臭気吸収剤が、重量比１：１０〜１０：１、好ましくは１：５〜５：１、更に好ましくは約１：１で存在する。実際、この範囲内で、体液に対する最適な臭気抑制特性が得られる。
【００３６】
ゼオライト
本明細書において、特に好適な臭気吸収剤はゼオライトである。ゼオライト材料の利用及び製造に関しては文献により周知であり、次の参照文献に記述されている。「ZEOLITE SYNTHESIS」（ACS Symposium Series ３９８、M. L. Occelli 及び H. E Robson編集（１９８９年）、２〜７頁）。「ZEOLITE MOLECULAR SIEVES, Structure, Chemistry and Use」（D. W. Breck、John Wiley、及び Sons 著（１９７４年）、２４５〜２５０頁、３１３〜３１４頁、３４８〜３５２頁。）「MODERN APPLICATIONS OF MOLECULAR SIEVE ZEOLITES」（ユタ大学 S. M. Kuznicki の博士論文、（１９８０年）、University of Microfilms International（アンアーバー、ミシガン）から入手可能、２〜８頁。）
ゼオライトは、Ｎａ、Ｋ、Ｍｇ及びＣａなどのＩＡ族及びＩＩＡ族の元素から成る結晶性アルミノケイ酸塩であり、化学上は次のような実験式で示される。
【００３７】
Ｍ2/nＯ．Ａｌ2Ｏ3．ｙＳｉＯ2．ｗＨ2Ｏ
ｙは２以上の値、ｎはカチオンの原子価、ｗはゼオライトの空洞に含まれる水分含有量である。
構造的に、ゼオライトは複合体の結晶性無機ポリマーであり、酸素イオンを共有して互いに結合したＡｌＯ4及びＳｉＯ4の四面体が無限に伸びる骨組みを基盤とする。この骨組み構造は、カチオン及び水分子で占められた溝又は結合した空隙を有する。
ゼオライトの構造式は結晶単位格子（最小構造単位）に基づき、次の式で表される。
Ｍx/n［（ＡｌＯ2）x（ＳｉＯ2）y］・ｗＨ2Ｏ
ｎはカチオンＭの原子価、ｗは単位格子当たりの水分子の数、ｘ及びｙは単位格子当たりの四面体の総数であり、ｙ／ｘは通常１〜５の値を有する。
【００３８】
ゼオライトは天然に由来するか、あるいは合成して製造することができる。合成ゼオライトは本明細書に用いるのに好ましい。本明細書に用いるのに好適なゼオライトには、ゼオライトＡ、ゼオライトＰ、ゼオライトＹ、ゼオライトＸ、ゼオライトＤＡＹ、ゼオライトＺＳＭ−５又はこれらの混合物が含まれる。最も好ましいのはゼオライトＡである。
本発明によると、ゼオライトは疎水性のものが好ましい。これは、典型的にＡｌＯ2含量に対するＳｉＯ2のモル比を増やすことで達成される。このとき、ｙに対するｘの比は少なくとも１、好ましくは１〜５００、最も好ましくは１〜６である。
本発明によれば、製品は典型的には０〜３００ｇｍ-2、更に好ましくは４０〜２５０ｇｍ-2、最も好ましくは６０〜２００ｇｍ-2の純度１００％のゼオライト又はこれらの混合物を包含する。
【００３９】
シクロデキストリン及びその誘導体
本明細書に用いるのに特に好適な臭気吸収剤は、シクロデキストリン又はその誘導体又はこれらの混合物である。これらの材料は、典型的には部分的に水溶性であるか、非水溶性であるカチオン性多糖類を可溶化し、それ自体で臭気を吸収するという二重の作用を有するために好ましい。
このように、シクロデキストリン又はその誘導体は、カチオン性多糖類、典型的にはキトサン材料の担体として働くことができ、それによってキトサン材料、特に部分的に水溶性であるか、非水溶性（即ち、典型的には２５℃、１気圧下で蒸留水１００ｇに溶解するのが０．５ｇ未満）のキトサン材料を、液体上の体液、つまり、アミン、酪酸などの脂質、タンパク質及び／又は糖が分解して発生する水溶性悪臭化合物に近接させることができる。シクロデキストリン又はその誘導体は、カチオン性多糖類の可溶化を更に促進し、それによって著明に高い総体的臭気抑制効果（相乗効果）をもたらすと推測されている。
【００４０】
空洞の独特の形状及び物理化学的特性のおかげで、シクロデキストリン分子は、空洞に取り付く可能性のある有機分子又は有機分子の一部を吸収する（それとともに包接複合体を形成する）ことができる。
本明細書において使用される「シクロデキストリン」という用語には、６〜１２個のグルコース単位を含有する非置換シクロデキストリンのような既知のシクロデキストリン、特にα−シクロデキストリン、β−シクロデキストリン、γ−シクロデキストリン及び／又はそれらの誘導体、及び／又はそれらの混合物のいずれかが含まれる。α−シクロデキストリンは６個のグルコース単位から成り、β−シクロデキストリンは７個のグルコース単位から成り、γ−シクロデキストリンはドーナツ形状の環の中に配置された８個のグルコース単位から成る。グルコース単位の特有のカップリング及び配置により、シクロデキストリンは、内部に特有な体積の空洞のある柔軟性のない円錐状の分子構造を有する。この内部の空洞の「内張り」は水素原子及びグリコシド結合する酸素原子によって形成されており、従ってこの表面は完全に疎水性である。非誘導体の（通常の）β−シクロデキストリンを本明細書で使用することができる。
【００４１】
本発明において有用で、特に好ましいシクロデキストリンは、α−シクロデキストリン及びそれらの誘導体、γ−シクロデキストリン及びそれらの誘導体、β−シクロデキストリン誘導体及び／又はそれらの混合物のように、水溶性の高いシクロデキストリンである。
【００４２】
シクロデキストリン誘導体は主に、ＯＨ基のいくつかがＯＲ基に変換された分子から成る。シクロデキストリン誘導体には、例えば、メチル化したシクロデキストリン及びエチル化したシクロデキストリンのような短鎖アルキル基を有するシクロデキストリンで、Ｒがメチル基又はエチル基であるシクロデキストリン、又はヒドロキシプロピルシクロデキストリン及び／又はヒドロキシエチルシクロデキストリンのようなヒドロキシアルキル置換基を持つもので、Ｒが-ＣＨ2−ＣＨ（ＯＨ）−ＣＨ3又は-ＣＨ2ＣＨ2−ＯＨであるもの、又はマルトース結合のシクロデキストリンのような分岐鎖シクロデキストリン、又は２−ヒドロキシ−３−（ジメチルアミノ）プロピルエーテルを含有し、ＲがｐＨの低い陽イオンであるＣＨ2−ＣＨ（ＯＨ）−ＣＨ2−Ｎ（ＣＨ3）2である陽イオンシクロデキストリン、又は２−ヒドロキシ−３−（トリメチルアンモニオ）プロピルエーテルクロリド基で、ＲがＣＨ2−ＣＨ（ＯＨ）−ＣＨ2−Ｎ+（ＣＨ3）3Ｃｌ-である四級アンモニウム、又はカルボキシメチルシクロデキストリン、シクロデキストリンサルフェート及びシクロデキストリンスクシニレートのような陰イオンイオンシクロデキストリン、又はカルボキシメチル／四級アンモニウムシクロデキストリンのような両性シクロデキストリン、又は本明細書に参照として組み入れた「Optimal Performances with Minimal chemical Modification of Cyclodextrins」（F. Diedaini−Pilard及びB. Perly、第７回国際シクロデキストリンシンポジウム要項集（１９９４年４月）、４９頁）に開示されたシクロデキストリンで、少なくとも１個のグルコピラノースユニットが３−６−無水−シクロマルト構造、例えば、モノ−３−６−無水シクロデキストリンを有するシクロデキストリン及びそれらの混合物が挙げられる。その他のシクロデキストリンは、米国特許第３，４２６，０１１号（Parmerterら、１９６９年２月４日発行）、米国特許第３，４５３，２５７号、米国特許第３，４５３，２５８号、米国特許第３，４５３，２５９号、及び米国特許第３，４５３，２６０号（全てParmerterら、１９６９年７月１日発行）、米国特許第３，４５９，７３１号（Grameraら、１９６９年８月５日発行）、米国特許第３，５５３，１９１号（Parmerterら、１９７１年１月５日発行）、米国特許第３，５６５，８８７号（Parmerterら、１９７１年２月２３日発行）、米国特許第４，５３５，１５２号（Szejtliら、１９８５年８月１３日発行）、米国特許第４，６１６，００８号（Hiraiら、１９８６年１０月７日発行）、米国特許第４，６７８，５９８号（Oginoら、１９８７年７月７日発行）、米国特許第４，６３８，０５８号（Brandtら、１９８７年１月２０日発行）、及び米国特許第４，７４６，７３４号（Tsuchiyamaら、１９８８年５月２４日発行）に開示されており、前記特許は全て参照として、本明細書に組み入れている。
【００４３】
水溶性の高いシクロデキストリンとは、水への溶解度が室温で１００ｍｌ中の水に少なくとも約１０ｇ、好ましくは１００ｍｌ中の水に少なくとも約２０ｇ、更に好ましくは室温で１００ｍｌ中の水に少なくとも約２５ｇであるシクロデキストリンである。これらは使用しやすいが、典型的には非誘導体のβ−シクロデキストリンより高価である。本明細書での使用に好適な好ましい水溶性シクロデキストリン誘導体の例は、ヒドロキシプロピルα−シクロデキストリン、メチル化α−シクロデキストリン、メチル化β−シクロデキストリン、ヒドロキシエチルβ−シクロデキストリン及びヒドロキシプロピルβ−シクロデキストリンである。ヒドロキシアルキルシクロデキストリン誘導体は好ましくは約１〜約１４、さらに好ましくは約１．５〜約７の置換度を有し、その際、シクロデキストリン当りのＯＲ基の総数が、置換度として定義される。メチル化シクロデキストリン誘導体は通常、約１〜約１８、好ましくは約３〜約１６の置換度を有する。既知のメチル化β−シクロデキストリンは、一般にＤＩＭＥＢとして知られるヘプタキス−２，６−ジ−オー−メチル−β−シクロデキストリンであり、その際、各グルコース単位は、約１４の置換度と共に約２のメチル基を有する。好ましいメチル化β−シクロデキストリンのうち更に購入しやすいものは、約１２．６の置換度を有する、無作為にメチル化されたβ−シクロデキストリンである。好ましいシクロデキストリンは、例えば、CerestarＵＳＡ, Inc.及びWacker Chemicals (USA), Inc.から入手可能である。
【００４４】
シクロデキストリンの混合物を使用することも望ましいといえる。このような混合物は、広範囲の分子サイズを示す広範囲の臭気分子とともに複合体を形成し得る。好ましくは少なくともシクロデキストリンの１部分がα−シクロデキストリン又はその誘導体、γ−シクロデキストリン又はその誘導体、及び／又はβ‐シクロデキストリン又はその誘導体であるのがよい。
本発明によれば、製品は典型的にはシクロデキストリン又はその誘導体又はこれらの混合物を、０〜３００ｇｍ-2、更に好ましくは５〜２５０ｇｍ-2、最も好ましくは７〜２００ｇｍ-2包含する。
【００４５】
キレート化剤
本明細書に用いるのに好適なキレート化剤は、当該技術分野において既知のものである。好適なキレート剤には、例えば、ホスホネート塩キレート化剤、多官能基置換芳香族キレート化剤、アミノカルボキシレート塩キレート化剤、エチレンジアミンＮ，Ｎ’−二コハク酸、アスパラギン酸、グルタミン酸、マロン酸、グリシンのようなその他のキレート化剤及びこれらの混合物が挙げられる。
本明細書で使用するのに好適なホスホネート塩キレート化剤には、エチドロン酸、アルカリ金属エタン１−ヒドロキシジホスホネート塩、並びに、アミノアルキルレンポリ（アルキレンホスホネート塩）、アルカリ金属エタン１−ヒドロキシジホスホネート塩、ニトリロトリメチレンホスホネート塩、エチレンジアミンテトラメチレンホスホネート塩、アミノトリ（メチレンホスホネート塩）（ＡＴＭＰ）及びジエチレントリアミンペンタメチレンホスホネート塩を含むアミノホスホネート塩化合物が挙げられる。ホスホネート塩化合物は、その酸性官能基の一部又はすべてにおいて酸であるか、又は異なったカチオンの塩として存在してもよい。典型的には、これらのアミノホスホネート塩は、約６個以上の炭素原子を有するアルキル基又はアルケニル基を含有しない。本明細書で使用するのに好ましいホスホネート塩キレート化剤は、ジエチレントリアミンペンタメチレンホスホネート塩（ＤＥＴＰＭＰ）である。こうしたホスホネート塩キレート化剤は、Monsanto社より、商品名ＤＥＱＵＥＳＴ（登録商標）として市販されている。
【００４６】
多官能基置換芳香族キレート化剤も本明細書の組成物において有用である。米国特許第３，８１２，０４４号（Connorら、１９７４年５月２１日発行）を参照のこと。この種の酸性の好ましい化合物は、１，２−ジヒドロキシ−３，５−ジスルホベンゼンなどのジヒドロキシジスルホベンゼンである。
本明細書で使用するのに好ましい生分解性キレート化剤は、エチレンジアミンＮ，Ｎ’−ジコハク酸、又はそのアルカリ金属塩、又はアルカリ土類塩、アンモニウム塩又は置換アンモニウム塩、又はそれらの混合物である。エチレンジアミンＮ，Ｎ’−二コハク酸、特に（Ｓ，Ｓ）異性体に関しては、米国特許第４，７０４，２３３号（Hartman and Perkins、１９８７年１１月３日発行）に詳細に記載されている。エチレンジアミンＮ，Ｎ’−ジコハク酸は、例えば、商品名ｓｓＥＤＤＳ（登録商標） として、Palmer Research Laboratoriesより市販されている。
【００４７】
本明細書で使用するのに好適なアミノカルボキシレートキレート剤には、酸性形態、又はそのアルカリ金属塩、アンモニウム塩、及び置換アンモニウム塩の形態の双方でのエチレンジアミンテトラアセテート（ＥＤＴＡ）、ジエチレントリアミンペンタアセテート、ジエチレントリアミンペンタアセテート（ＤＴＰＡ）、Ｎ−ヒドロキシエチルエチレンジアミントリアセテート、ニトリロトリ−アセテート、エチレンジアミンテトラプロピオネート、トリエチレンテトラアミンヘキサ−アセテート、ジエチレントリアミンペンタアセテート、エタノールジグリシン、プロピレンジアミン四酢酸（ＰＤＴＡ）及びメチルグリシン二酢酸（ＭＧＤＡ）が挙げられる。本明細書に用いるのに特に好適なアミノカルボキシレートは、エチレンジアミンテトラアセテート（ＥＤＴＡ）、ジエチレントリアミンペンタアセテート（ＤＴＰＡ）又はこれらの混合物である。
【００４８】
本明細書に用いるのに更に好ましいキレート化剤は、エチレンジアミンテトラアセテート、−トリアセテート、−ジアセテート及び−モノアセテート、エチレンジアミンＮ，Ｎ−二コハク酸（ナトリウム塩）、エチレンジアミンペンタ（メチレンリン酸）（ナトリウム塩）、エチレンジアミンテトラ（メチレンリン酸）又はこれらの混合物である。更に好ましくは、キレート化剤はエチレンジアミンテトラアセテートである。
本発明によれば、製品は典型的には０〜３００ｇｍ-2、更に好ましくは５〜２５０ｇｍ-2、最も好ましくは７〜２００ｇｍ-2のキレート化剤又はその混合物を包含する。
【００４９】
本明細書におけるキレート化剤は、本明細書のカチオン性多糖類の抗菌作用に関与すると推測されている。事実、これらは細菌の成長に必須の成長因子（例えばカルシウム、マグネシウム及び／又はカリウム）などの陽性に荷電した養分をキレート化し、それによって細菌の成長を抑える。このように、キレート化剤は、本明細書のカチオン性多糖類、特にキトサン材料の直接的な抗菌作用を補助する。本明細書の好ましい実施態様においては、本明細書に明示するように脱アセチル化度の高いキトサン材料（７５％以上）を使用し、その結果こうしたキトサン材料が陽性に荷電した養分に対してはキレート化剤として働くことができないため、特にこの事例が当てはまる。
本明細書の好ましい実施態様において、カチオン性多糖類対キレート化剤の重量比が１：１０〜１０：１、好ましくは１：５〜５：１、更に好ましくは１：３〜３：１で、カチオン性多糖類及びキレート化剤が存在する。事実、この範囲内で体液に対する最適な臭気抑制特性が得られる。
【００５０】
任意の成分
本発明に基づく製品は、更に吸収性ゲル化材料のような、その他の従来の材料を包含することができる。
【００５１】
吸収性ゲル化材料
最近の商習慣からも良くわかるように、吸収性ゲル化材料（「超吸収体」と呼ばれることもある）が吸収製品に広く使われるようになってきている。ＡＧＭは、流体及び臭気を吸収する二重の特性を有するため、本発明に更に利点をもたらす。
本明細書に用いるのに特に好ましい吸収性ゲル化材料は、アニオン性吸収性ゲル化材料、即ち主に陰性に荷電する吸収性ゲル化材料である。こうした吸収性ゲル化材料は、超吸収特性を有し、官能基がアニオン性、即ちスルホン基、硫酸基、リン酸基又はカルボキシル基である材料であればいずれのものでもよい。好ましくは、この官能基はカルボキシル基である。本明細書に用いるのに特に好ましいアニオン性吸収性ゲル化材料は、合成アニオン性吸収性ゲル化材料である。本明細書で合成アニオン性吸収性ゲル化材料が好ましいのは、同じ吸収製品に使用された場合、圧力下でも、アニオン性多糖類のような天然アニオン性吸収性ゲル化材料に比べて、臭気及び流体吸収性に優れているためである。
一般に、官能基はわずかに架橋したアクリル系ポリマーに結合する。例えば、ベースポリマーは、ポリアクリルアミド、ポリビニルアルコール、エチレン無水マレイン酸、コポリマー、ポリビニルエーテル、ポリビニルスルホン酸、ポリアクリル酸、ポリビニルピロリドン及びポリビニルモルホリンであってよい。これらのモノマーのコポリマーも使用することができる。特殊なベースポリマーには、架橋ポリアクリレート、加水分解アクリロニトリルグラフト化デンプン、デンプンポリアクリレート及びイソブチレン無水マレイン酸コポリマーが挙げられる。
【００５２】
このような材料は水分（例えば、尿、血液など）に接触するとヒドロゲルを形成する。ヒドロゲル形成性の吸収性ゲル化材料のうち、非常に好ましい種類のひとつはポリ酸、特にポリアクリル酸を基材に有するものである。この種のヒドロゲル形成性ポリマー材料は、水又は体液などの流体（即ち液体）と接触すると、こうした流体を吸収することで、ヒドロゲルを形成する。これらの好ましい吸収性ゲル化材料は、一般に、実質的には水溶性で、わずかに架橋しており、部分的に中和されているヒドロゲル形成ポリマー材料であり、重合が可能で不飽和の酸含有モノマーから形成される。このような材料において、不飽和の酸含有モノマーから形成されたポリマー成分は、ゲル化剤全体を構成することができる。あるいは、デンプン又はセルロースのような他の種類のポリマー部分にグラフトすることもできる。アクリル酸グラフト化デンプン材料は後述の種類の材料である。以上より、好ましい吸収性ゲル化材料には、加水分解アクリロニトリルグラフト化デンプン、アクリル酸グラフト化デンプン、ポリアクリレート、無水マレイン酸を基材とするコポリマー及びこれらの組み合せが含まれる。特に好ましい吸収性ゲル化材料はポリアクリレート及びアクリル酸グラフト化デンプンである。
【００５３】
好ましい吸収性ゲル化材料のポリマー成分の本質がどのようなものでも、このような材料は一般的にわずかに架橋していると考えられる。架橋によって、これらの好ましいヒドロゲル形成性吸収材料は実質的に水溶性になり、ある意味で架橋によって形成されるヒドロゲルのゲルボリューム及びポリマーの可溶性を決定する。好適な架橋剤は当業界で周知であり、例えば、（１）重合可能な二重結合を少なくとも２つ有する化合物、（２）重合可能な二重結合を少なくとも１つ、酸含有モノマー材料と反応する官能基を少なくとも１つ有する化合物、（３）酸含有モノマー材料と反応する官能基を少なくとも２つ有する化合物、（４）イオンの架橋結合で得られる多価金属化合物が挙げられる。上記の種類の架橋剤は、米国特許第４，０７６，６６３号（Masuda ら、１９７８年２月２８日発行）で詳細に記述されている。好ましい架橋剤は、多価アルコールを有する不飽和モノ−又はポリ−カルボン酸のジ−又はポリ−エステル、ビスアクリルアミド及びジ−又はトリ−アリルアミンである。特に好ましい架橋剤は、Ｎ，Ｎ’−メチレンビスアクリルアミド、トリメチロールプロパントリアクリレート及びトリアリルアミンである。架橋剤は一般的に、好ましいゲル化材料の約０．００１〜５モル％を構成することができる。更に好ましくは、架橋剤は本明細書において使用するゲル化材料の 約０．０１〜３モル％を構成することができる。
【００５４】
本明細書において使用する好ましい吸収性ゲル化材料は、吸収製品に排出される流体を吸収する能力が比較的高いものである。この能力は、前記吸収性ゲル化材料の「ゲルボリューム」を参照することで判断することができる。ゲルボリュームは、与えられたいずれかの吸収性ゲル化剤緩衝剤が吸収した合成尿の量によって定義されることができ、ゲル化剤１ｇ当たりの合成尿のグラム数として表される。
合成尿（以下の Brandt らの文献を参照）におけるゲルボリュームは、試験に使用する合成尿約２０に対して約０．１〜０．２の割合で乾燥した吸収性ゲル化材料の懸濁液を形成することにより測定することができる。この懸濁液を、膨張が平衡になるように、室温で約１時間ゆるやかに撹拌しながら保持する。その後、懸濁液中のゲル化剤の重量比率及び、形成したヒドロゲルから排除した液量の懸濁液の総量に対する割合を用いて、ゲルボリューム（吸収性ゲル化材料１ｇ当たりの合成尿のグラム数）を算出する。本発明において有用な好ましい吸収性ゲル化材料は、吸収性ゲル化材料１ｇ当たり、合成尿約２０〜７０ｇ、より好ましくは約３０〜６０ｇのゲルボリュームを有することができる。
【００５５】
最も好ましい吸収性ゲル化材料の別の特性は、前記材料中に存在する抽出可能なポリマー材料のレベルに関連する。抽出可能なポリマーのレベルは、抽出平衡に達するように、長時間（例えば、少なくとも１６時間）合成尿溶液に好ましい吸収性ゲル化材料の試料を接触させ、その後、形成したヒドロゲルを上澄み液からろ過し、最後にろ液のポリマー含量を測定することにより決定することができる。本明細書において好ましい吸収性ゲル化剤緩衝剤の抽出可能なポリマー含量を決定するために使用する特定の方法は、米国特許第４，６５４，０３９号（Brandt、Goldman、及びInglin、１９８７年３月３１日発行）、米国再発行特許第３２，６４９号に記載されている。本明細書における吸収製品において特に有用な吸収性ゲル化材料は、合成尿における平衡抽出物含量が、重量において吸収性ゲル化材料の約１７％以下、好ましくは約１０％以下である。
【００５６】
わずかに架橋したヒドロゲル形成性の吸収性ゲル化材料のうち好ましいものは、一般的に部分的に中和した形で使用すると考えられる。本明細書に記載の目的上、このようなゲル化材料は、ポリマー形成に用いられるモノマーの少なくとも２５モル％、好ましくは少なくとも５０モル％が塩生成カチオンで中和した酸性基含有モノマーであるとき、部分的に中和しているとみなす。好適な塩生成陽イオンには、アルカリ金属、アンモニウム、置換アンモニウム及びアミンが含まれる。ポリマー形成に使用され、中和した酸含有モノマーであるモノマー総量の割合は、「中和度」として用いられる。典型的には、市販の吸収性ゲル化材料の中和度は、おおよそ２５〜９０％である。
【００５７】
以上に記述した吸収性ゲル化材料は、典型的には独立した粒子の形で使用する。このような吸収性ゲル化材料の望ましい形状は、どのような形状であっても良い（例えば、球状又は半球状、立方体、棒状多面体など）。また、最小寸法に対する最大寸法の比率が大きい形状（針及び薄片のような形状）も本明細書において用いることができる。塊状の吸収性ゲル化材料の粒子も使用することがある。
吸収性ゲル化材料の粒子のサイズは、幅広い範囲で変えることができる。産業衛生上の理由から、約３０ミクロンより小さい平均粒子サイズは望ましくない。また、最小粒子径が約２ミリ以上であると、吸収製品にごつごつ感が生じ、消費者に与える美学的見地から望ましくない。更に、流体吸収率は粒度の影響を受けることがある。大きな粒子は吸収率を大いに減少させる。本明細書に用いるのに好ましいのは、実質的に全ての粒径が約３０ミクロン〜約２ｍｍである吸収性ゲル化材料粒子である。本明細書で使用する時「粒径」とは、個々の粒子の最小径の加重平均値を指す。
【００５８】
本発明に基づく製品、特に使い捨て吸収製品中の吸収性ゲル化材料粒子の量は、典型的には５〜２５０ｇｍ-2、好ましくは７〜１５０ｇｍ-2、更に好ましくは１０〜１００ｇｍ-2である。
アニオン性吸収性ゲル化材料は、本発明の利点を更に高めるように、好適には本明細書のカチオン性多糖類及び臭気抑制剤の表面に使用する。事実、アニオン性吸収性ゲル化材料は、カチオン性多糖類のカチオン特性、即ち臭気抑制特性を高める。いかなる理論にも縛られずに述べれば、アニオン性吸収性ゲル化材料の陰性に荷電したアニオン基は、カチオン性多糖類のカチオン基をプロトン化し、それによって例えばキトサン材料のカチオン性を高めると考えられている。
有益なことに、吸収製品内で、本明細書に記載したようなアニオン性吸収性ゲル化材料、即ち合成アニオン性吸収性ゲル化材料（典型的には中和度が２５〜９０％）を、カチオン性多糖類、特にキトサン材料の表面に加えることによって、水だけでなく経血などの電解質含有溶液に対する優れた流体吸収能力が得られる。
【００５９】
更に、本明細書に記載したようなアニオン性吸収性ゲル化材料、即ち合成アニオン性吸収性ゲル化材料（典型的には中和度が２５〜９０％）を、カチオン性多糖類、特にキトサン材料の表面に使用することによって、流体吸収時に高いゲル化力が得られる。更に言えば、この組み合せは、負荷条件下の吸収能力を向上させ、再湿潤及び濡れを低減させ、従って快適性を高める。
有益なことに、アニオン性合成吸収性ゲル化材料が本発明の臭気抑制系表面に存在することで、最適な流体吸収及び、典型的には体液に起因する悪臭に対する最適な臭気抑制が得られる。
【００６０】
使い捨て吸収製品
臭気抑制系（即ち、少なくともカチオン性多糖類及び臭気抑制剤）並びに任意の吸収性ゲル化材料は、例えば吸収製品のコアに層状に配置するか、吸収性コアの繊維内で混合するなど、当該技術分野で開示されているあらゆる方法で吸収製品に組み込むことができる。
カチオン性多糖類及び臭気抑制剤は、好ましくはセルロースティッシュの２層間に組み込む。任意には、これらの材料からなる系は２層のセルロースティッシュの間に、例えば熱融解接着剤又はＷＯ９４／０１０６９号に記載のあらゆる好適な接着系を用いて結合させる。
【００６１】
本発明の一つの実施形態において、カチオン性多糖類及び臭気抑制剤は、ＷＯ９４／０１０６９号又はイタリア特許第ＴＯ９３Ａ，００１，０２８号の開示に従って、層構造に組み込まれる。イタリア特許第ＴＯ９３Ａ，００１，０２８号は、ＷＯ９４／０１０６９号に実質的に記載されている層構造を記載しているが、本発明にも任意の成分として組み込まれる繊維層（１２０ｇｍ-2）間に位置する中間層に、はるかに多量の吸収性ゲル化素材を包含する点が異なる。この中間層は、熱可塑性材料として特にポリエチレン粉末を包含し、これが本明細書に記載の臭気抑制剤及びカチオン性多糖類と混合される。次に、この混合物を熱し、ポリエチレンを融解させてラミネート層同士を接着する。接着剤のラインは好ましくはラミネートの端部に配置し、ラミネートの端部が接着してカチオン性多糖類の粉末及び臭気抑制剤の粉末がラミネートの外部に洩れないようにする。
あるいは、ラミネート層及び／又は構成要素同士を接着するため、ポリエチレン粉末の代わりに従来の接着剤、例えばATO Findleyが市販しているＨ２０−３１（登録商標）という商品を使用することができる。有益なことに、この方法によってポリエチレン粉末を使用した場合に必要となる加熱工程を避けることができる。
【００６２】
カチオン性多糖類及び臭気抑制剤は、吸収製品全体に、又はトップシートの少なくとも１層に、又はバックシートの少なくとも１層に、又はコアの少なくとも１層に、又はこれらの混合物に、均一又は不均一に分布させることができる。また、カチオン性多糖類及び臭気抑制剤は、配置される層のうち望ましい層又は複数層の表面全体、又はその表面の１部又は複数部（例えば、吸収製品の層の中央部及び／又は縁のような周辺部）、又はこれらの混合物に、均一又は不均一に分布させることができる。
カチオン性多糖類及び臭気抑制剤は、同じ場所（例えば、層）に一緒に配置することもできれば、異なる場所／層に別々に配置することもできる。例えば本明細書のある実施態様においては、臭気抑制剤（例えばゼオライト及び／又はシクロデキストリン及び／又はＥＤＴＡ）は、流体／排泄物の少なくとも一部が、カチオン性多糖類、好ましくはキトサン材料と接触する前に、これと接触するように配置する。好ましくは、臭気抑制剤はトップシートに面するコアに配置するか、トップシートそのもの（好ましくは二次トップシート）のなかに配置し、カチオン性多糖類は、臭気抑制剤よりトップシートから遠い位置に配置する。本発明のある実施態様において、臭気抑制剤は、トップシート層の少なくとも１層に配置し、カチオン性多糖類、典型的にはキトサン材料はコアに配置する。本明細書の別の実施態様においては、臭気抑制剤及びカチオン性多糖類はいずれもコアに配置するが、カチオン性多糖類は臭気抑制剤の下に配置し、典型的にはカチオン性多糖類はバックシートに面して配置する。また別の実施態様において、臭気抑制剤は吸収性コアの中に配置し、カチオン性多糖類はバックシートそのもの（好ましくは二次バックシート）の中に配置する。
【００６３】
吸収性ゲル化材料が存在する本明細書の好ましい実施態様において、吸収性ゲル化材料及び臭気抑制剤は、体液／排泄物の少なくとも一部がカチオン性多糖類と接触する前に、前記吸収性ゲル化材料及び臭気抑制剤と接触するように配置する。本明細書のきわめて好ましい実施態様において、吸収性ゲル化材料及び臭気抑制剤は吸収性コアの中に配置し、カチオン性多糖類、典型的にはキトサン材料も吸収性コアの中に配置するが、吸収性ゲル化材料及び臭気抑制剤よりトップシートから遠い位置に配置する。コアがセルロースティッシュ２層からなる場合の実施例において、吸収性ゲル化材料及び臭気抑制剤はこれら２層の間に配置し、多糖類はバックシートに近接して配置される層、好ましくはこの層の内側に塗布して、吸収性ゲル化材料及び臭気抑制剤と密接するようにする。これを実行することは、最適な臭気抑制特性、及び最適な流体処理、即ち漏れ又は再浸潤を全く起こすことなく流体を最適に吸収及び保持する能力を組み合わせることにおいて特に有益である。カチオン性多糖類のカチオン特性は、吸収性ゲル化材料に密接することで高められる。更に、カチオン性多糖類は、そのゲル化特性によってバックシートに面していわゆる不透過層を形成する傾向を有し、それによって漏れを防ぐ。
【００６４】
カチオン性多糖類及び臭気抑制剤、並びに存在するならば任意の吸収性ゲル化材料は、粉末、顆粒の状態で組み込むか、例えば多糖類含有溶液及び／又は臭気抑制剤含有溶液の形状で吸収製品内部に噴霧することができる。顆粒又は微粒子の形で使用するとき、カチオン性多糖類（例えばキトサン材料）及び臭気抑制剤、並びに任意の吸収性ゲル化材料は、別々に顆粒状にしてその後混合するか、あるいは一緒に顆粒状にすることができる。
本発明の好ましい実施態様に基づく典型的な使い捨て吸収製品は、下に記載するようなものである。
【００６５】
吸収性コア
本発明に従って、吸収性コアは（ａ）好ましくは任意の第２流体分配層を含む任意の第１流体分配層、（ｂ）流体貯蔵層、（ｃ）貯蔵層の下に配置される任意の繊維性（「ダスティング」）層、及び（ｄ）その他の任意成分を含むことができる。本発明に従って、吸収性コアは消費者の要望に基づいていずれの厚みを有することもできる。
【００６６】
ａ．第１及び第２流体分配層
本発明の吸収性コアの任意成分のひとつは、第１流体分配層及び第２流体分配層である。第１流体分配層は典型的にはトップシートの下に配置し、トップシートと流体を受け渡しできる状態にする。トップシートは、受け取った流体を貯蔵層へ最適に分散させるために、この第１流体分配層に移送する。この第１流体分配層を通す流体の移送は、厚みの方向だけでなく、吸収製品の長さ及び幅の方向に沿っても行われる。また、任意ではあるが、あると好ましい第２分配層は、典型的には第１分配層の下に配置し、第１分配層と流体を受け渡しできる状態にある。この第２分配層の目的は、第１分配層からの流体を直ちに受け取り、下にある貯蔵層に迅速に移送することである。これにより、下にある貯蔵層の流体保持能力を助け、利用率を高める。流体分配層は、このような分配層に典型的ないずれの材料からも構成されることができる。特に繊維性の層は濡れたときでも繊維間に毛管を保つため、分配層として有用である。
【００６７】
ｂ．流体貯蔵層
典型的には第１又は第２流体分配層の下に配置し、これらの層と流体を伝達する状態にあるのが流体貯蔵層である。流体貯蔵層は、カチオン性多糖類及び任意の吸収性ゲル化材料を包含することができる。好ましくは、カチオン性多糖類及び任意の吸収性ゲル化材料を、好適な担体と組合せて包含する。
好適な担体には、一般的に吸収構造に使用する材料が含まれる。ここには天然繊維、部分加工繊維、又は合成繊維が含まれ、特に、綿毛及び／又はティッシュの形態の部分加工又は非加工のセルロース繊維が挙げられる。衛生ナプキン及びパンティライナとして使用するとき、最も好ましいのはティッシュまたはティッシュラミネートである。
本発明に従って実施する吸収構造の実施態様は、ティッシュを折り畳んで形成する２層ティッシュラミネートから構成される複数の層を有することがある。これらの層は、例えば、接着剤、機械連動機、又は水素結合バンドにより、互いに接合することができる。カチオン性多糖類（及び臭気抑制剤）及び任意の吸収性ゲル化材料は、層の間に具備することができる。
【００６８】
剛化したセルロース繊維のような部分修飾セルロース繊維も使用することができる。また、合成繊維も使用することができ、ここには、酢酸セルロース、フッ化ポリビニル、ポリ塩化ビニリデン、アクリル（オーロンなど）、酢酸ポリビニル、不溶性ポリビニルアルコール、ポリエチレン、ポリプロピレン、ポリアミド（ナイロンなど）、ポリエステル、２成分繊維、３成分繊維、これらの混合物などから製造したものが含まれる。繊維の表面は親水性であるか、あるいは親水性に処理しているものが好ましい。また、貯蔵層は液体保持性を高めるために、パーライト、珪藻土、バーミキュライトなどのような充填材を含むこともできる。
カチオン性多糖類及び任意の吸収性ゲル材料が担体内で不均一に分散される場合でも、貯蔵層は部分的に均一であることができ、つまり、貯蔵層の寸法内で一方向または複数の方向に分配勾配を有することができる。カチオン性多糖類及び任意の吸収性ゲル材料を部分的または全体的に包んでいる担体のラミネートにより、不均一な分散がもたらされることもある。
【００６９】
ｃ．任意の繊維性（「ダスティング」）層
本発明の吸収性コアに含まれる任意の成分には繊維性層があり、貯蔵層に隣接して、典型的にはその下に配置する。この貯蔵層の下に配置する繊維性層は、典型的には「ダスティング」層と呼ばれる。それは、この層が吸収性コアの製造中に貯蔵層内に吸収性ゲル化材料を配置するための基材を提供するためである。実際、吸収性ゲル化材料が繊維、シート、又はストリップのような巨大構造の形態である場合には、この繊維性「ダスティング」層を包含する必要はない。しかし、この「ダスティング」層は、例えば、パッドの長さに沿って流体を迅速に吸い上げるような、いくらかの追加の流体処理能力を提供している。
【００７０】
ｄ．吸収構造のその他の任意成分
本発明による吸収性コアはその他の任意成分を含むことができ、これらは通常吸収ウェブの中に配置する。例えば、補強スクリムは、吸収性コアのそれぞれの層の中、又はそれぞれの層の間に配置することができる。このような補強スクリムは、分泌液輸送に対して界面バリアを形成しないような配置のものでなければならない。通常は熱接着により構造的に完全な状態にされるが、補強スクリムは通常は吸収構造に熱接着する必要はない。
【００７１】
トップシート
本発明に従って、吸収製品は必須成分としてトップシートを有する。トップシートは単一の層又は多数の層を有することができる。好ましい実施態様において、トップシートは、トップシートの着用者側表面を提供する第１層及び、その第１層と吸収構造／コアとの間にある第２層（２次トップシートとも呼ぶ）を具備する。
トップシートは全体として柔軟で柔らかな感触を有し、着用者の皮膚に刺激がないことが求められる。従ってトップシートの各層にもそれぞれこれらの性質が求められる。また、トップシートは１方向又は２方向に伸びることができる弾力特性を有することができる。本発明によれば、トップシートは、織及び不織布及びフィルムなど、この目的の為に入手可能であり、当該技術分野において既知のあらゆる材料から成形することができる。
【００７２】
本発明の好ましい実施態様では、少なくともトップシートの一層、好ましくは上層は、疎水性で液体透過性の孔あきポリマーフィルムから構成される。好ましくは、上層は、液体を着用者に面する表面から吸収構造へ向かって移送しやすいように、孔を有するフィルム材料を備える。下層は、存在するならば、好ましくは不織層、孔あき成形フィルム又は風成ティッシュを包含する。
本明細書で使用する時、孔あきポリマートップシートという用語は、孔があけられた連続的又は途切れることのないフィルムから形成される層を少なくとも１層有する、ひとつの層又は多層体を少なくとも１つ包含するトップシートを指す。孔あきポリマーフィルムトップシートが、例えば熱接着不織材料のような他のトップシートと比べて、臭気抑制の点で著明に優れていることが、驚くべきことに明らかになってきている。
【００７３】
一般に、本発明の孔あきポリマートップシートは、規格に準拠し、柔らかさがあり、着用者の皮膚に対して非刺激性である。さらに、トップシートは流体透過性であり、流体（例えば、月経分泌物及び／または尿）がその厚みを容易に通過可能である。本明細書に用いるのに好適な孔あきポリマーフィルムトップシートとしては、ポリマー孔あき成形フィルム、熱可塑性フィルム、孔あきプラスチックフィルム、及び油圧成形熱可塑性フィルム、多孔質発泡体、網状発泡体及び熱可塑性フィルムなどの網状物質、熱可塑性スクリムが挙げられる。
【００７４】
本発明に使用する好ましいトップシートは、孔あき成形フィルムのトップシートから選択する。孔あき成形フィルムは、体排出物を透過はさせるが吸収はせず、流体を逆流させて着用者の皮膚を再び濡らすことが少ないため、トップシートとして特に好ましい。この場合、体と接触している成形フィルムの表面は乾いた状態を保ち、よって体を汚すことが減り、着用者により良い快適感を与える。好適な成形フィルムに関しては、米国特許第３，９２９，１３５号（Thompson、１９７５年１２月３０日発行）、米国特許第４，３２４，２４６号（Mullaneら、１９８２年４月１３日発行）、米国特許第４，３４２，３１４号（Radelら、１９８２年８月３日発行）、米国特許第４，４６３，０４５号（Ahrら、１９８４年７月３１日発行）及び米国特許第５，００６，３９４号（Baird、１９９１年４月９日発行）に記載がある。これら特許のそれぞれは、参照として本明細書に組み込まれている。特定の好ましいマイクロ孔成形フィルムのトップシートは米国特許第４，６０９，５１８号（Curroら、１９８６年９月２日発行）、及び米国特許第４，６２９，６４３号（Curroら、１９８６年１２月１６日発行）に開示されており、これらは参照として組み込まれている。本発明に好ましいトップシートは、上記の1つまたは複数の特許に記載されており、オハイオ州シンシナティのThe Procter & Gamble Companyが「DRI-WEAVE」として生理用ナプキン用に販売している成形フィルムである。
【００７５】
立体成形フィルムの分野において好適なトップシートに関しては、欧州特許第０，０１８，０２０号及び欧州特許第０，０５９，５０６号に記載がある。特に好ましい立体成形ポリマートップシートは正五角形の開口部を有し、その開口部は規則的な間隔で配置され、０．４１平方ミリメートルの開口部を有する。孔は横断方向には０．３７平方ミリメートル間隔で長手方向には０．２５ミリメートル間隔で配置されている。このトップシートは初期（成形前）の開口部の厚みが約２５ｍで、最終的な（成形後の）厚みが約０．５３ｍであり、開口領域は２５〜約４０％になる。
もう一つの特に好ましい成形フィルムトップシートは、２種類の形状の開口部を有するものである。一つは面積が約０．２１平方ミリメートルの正五角形であり、もう一つは面積が１．７８平方ミリメートルの不規則な五角形である。開口部は、この形状の両側間が約０．３７〜０．４２ｍｍになるように分布させる。成形前及び成形後のフィルムの厚みは、それぞれ０．２５ｍｍ、０．４３ｍｍである。このフィルムは約３３．７％の開口領域を有する。いずれのフィルムも、上に記載の特許の指示に従って製造する。
【００７６】
好適なトップシートの３つめの形状は、２つの分かれた孔あきポリマーフィルムが重なり合うものである。
本発明の成形フィルムトップシートの身体側表面は、親水性であってもよく、身体表面が親水性でない場合に比べてより速い速度で液体がトップシートを貫通するのを容易にする。この方法によって、経血がトップシートに流れ込み、吸収構造により吸収されずに、トップシートから流れ落ちる可能性が低下する。好ましい実施態様において、界面活性剤は成形フィルムトップシートのポリマー材料に組み込まれる。これに関しては米国特許第０７／７９４，７４５号「Absorbent Article Having A Nonwoven and Apertured Film Coversheet」、１９９１年１１月１９日、Azizらが出願）に記載があり、これは本明細書に参照として組み込まれている。あるいは、トップシートの身体側表面は、既に参照として取り挙げた米国特許第４，９５０，２５４号（本明細書に参照として組み込まれている）に記載されている界面活性剤で処理して親水性にすることができる。
【００７７】
バックシート
バックシートは、主として、吸収構造中に吸収し保持された排泄物が、下着のパンツ、パンツ、パジャマ、下着などの吸収性製品に接触する物品を濡らすのを阻止する。バックシートは、好ましくは液体（例えば、経血及び／または尿）不透過性であり、好ましくは薄いプラスチックフィルムで製造するが、他の可撓性の液体不透過性材料を使用することもできる。本明細書で使用する用語「可撓性」は、柔軟で、人体の一般的な形状及び輪郭に容易に沿う材料に関して言う。バックシートは、弾力特性を有して、一または二方向に伸張可能にすることもできる。好ましい実施態様において、バックシートは、バックシートの下着側表面を提供する第１層及び、その第１層と吸収構造／コアとの間にある第２層（２次バックシートとも呼ぶ）を具備する。
バックシートは、通常、吸収構造全体にわたって広がり、好ましいサイドフラップ、サイド被覆要素、またはウィングに延びて、これらの一部または全体を形成することができる。
【００７８】
バックシートは、織布材若しくは不織布材、ポリエチレン若しくはポリプロピレンの熱可塑性フィルム等のポリマーフィルム、または膜被覆不織布材等の複合材料を含むことができる。好ましくは、バックシートは、典型的には約０．０１２ｍｍ（０．５ｍｉｌ）〜約０．０５１ｍｍ（２．０ｍｉｌ）までの厚みを有するポリエチレンフィルムである。
代表的なポリエチレンフィルムは、オハイオ州シンシナティのClopay CorporationがＰ１８−０４０１の名称で製造し、インディアナ州テレフォートのEthyl CorporationのVisqueen DivisionがＸＰ−３９３８５の名称で製造している。バックシートは好ましくはエンボス加工され、及び／又は艶消し仕上げされて、さらに衣類のような外観を提供する。更に、バックシートは、排泄物がバックシートを通過するのは防ぎ続けながら、蒸気を吸収構造から逃がすことを可能にする。即ち、通気性とすることができる。また、幾つかの層を含む通気性のバックシート、例えば、フィルムと不織布の構造を使用することもできる。
【００７９】
本明細書に用いるのに好適な通気性のあるバックシートには、当業界で周知のすべての通気性のあるバックシートが含まれる。主として、２種類の通気性バックシート、即ち通気可能で液体不透過性の単層通気性バックシートと、少なくとも２層を有し、その組み合せによって通気性も液体不透過性も提供するバックシートがある。
本明細書に用いるのに好適な単層通気性バックシートには、例えば英国特許第Ａ−２１８４，３８９号、英国特許第Ａ−２，１８４，３９０号、英国特許第Ａ−２，１８４，３９１号、米国特許第４，５９１，５２３号、米国特許第３，９８９，８６７号、米国特許第３，１５６，２４２号及び欧州特許第９５，１２０，６５３．１号に記載されているものが挙げられる。
【００８０】
本明細書に用いるのに好適な２層又は多層の通気性バックシートには、米国特許第３，８８１，４８９号、米国特許第４，３４１，２１６号、米国特許第４，７１３，０６８号、米国特許第４，８１８，６００号、欧州特許第２０３，８２１号、欧州特許第７１０，４７１号、欧州特許第７１０，４７２号、欧州特許第９５，１２０，６４７．３号、欧州特許第９５，１２０，６５２．３号、欧州特許第９５，１２０，６５３．１号、及び欧州特許第９６，８３０，０９７．０号に記載されているものが挙げられる。
特に好ましいのは、欧州特許第９６，８３０，３４３．８号で定義された要件に適合したバックシートあり、更に好ましいのは、更に吸収製品もこの特許文献に記述された要件に適合しているものである。
【００８１】
本発明によれば、通気性バックシートは少なくとも１つ、好ましくは少なくとも２つの水蒸気透過層を包含する。好適な水蒸気透過層には、２次元平面状ミクロ及びマクロ孔質フィルム、モノリシックフィルム、巨視的に伸張したフィルム及び成形孔あきフィルムが挙げられる。本発明に従って、前記の層にある孔はいずれの形状であってもよいが、球形又は楕円形が好ましい。これらの孔は様々な大きさ有していてもよい。好ましい実施形態において、孔は好ましくは前記層の表面全体に均一に分布しているが、孔を有する表面が一定領域しかない層も想定される。
本明細書において用いられる２次元平面状フィルムは、平均直径が５〜２００ミクロンの孔を有する。典型的には、本明細書に用いるのに好適な２次元平面状ミクロ多孔質フィルムは、平均直径が１５０〜５ミクロン、好ましくは１２０〜１０ミクロン、最も好ましくは９０〜１５ミクロンの孔を有する。典型的な２次元平面状マクロ孔質フィルムは、平均直径が２００〜９０ミクロンの孔を有する。本明細書に用いるのに好適な巨視的に伸張したフィルム及び成形孔あきフィルムは、典型的には直径が１００〜５００ミクロンの孔を有する。バックシートに巨視的に伸張したフィルム又は孔あき成形フィルムを含む本発明の実施態様では、バックシートは典型的にはバックシート表面積全体の５％以上、好ましくは１０〜３５％の孔面積を有すると考えられる。
【００８２】
バックシートの２次元平面状層で好適なものは、当技術分野で周知のいずれの材料でも形成することができるが、一般的に入手可能な高分子材料で製造するのが好ましい。好適な材料には、例えば、いわゆる通気性抄紙用具に用いる、当業界では周知のＧＯＲＥ−ＴＥＸ（商標）又は Ｓｙｍｐａｔｅｘ（商標）タイプの材料がある。その他の好適な材料には、Minnesota Mining and Manufacturing Company（米国ミネソタ州、セントポール）のＸＭＰ−１００１が挙げられる。本明細書において用いられるとき「２次元平面状層」という用語は、１ｍｍ未満、好ましくは０．５ｍｍ未満の厚みを有する層であり、その孔が層の長さに沿って平均的で均一な直径を有し、孔が層の平面より外に突き出ていない層を意味する。本発明でバックシートとして使用する孔あき材料は、欧州特許第２９３，４８２号及びその特許中の参照文献に記載されているような、当技術分野で知られている任意の方法を使用して製造することができる。更に、この方法で製造する孔の大きさは、バックシート層の平面に力を加える（つまり、層を引き伸ばす）ことにより大きくすることができる。
【００８３】
好適な孔あき成形フィルムには、離散した孔を持ち、下着に面する層表面の水平方向平面を越えコア部に広がって、突出部を形成するフィルムが含まれる。突出部はその末端部に位置する開口部を有する。好ましくは、前記突出部は、米国特許第３，９２９，１３５号に記載されているものと同様に、漏斗形状のものである。平面内に配置した孔、及び突出部の末端部に配置した開口部は円形でも非円形でもよく、与えられた横断面の大きさ、又は突出部の末端の開口部領域は、層の衣類側表面に配置した横断面の大きさ又は孔領域よりそれぞれ小さい。好ましくは、前記孔あき前成形フィルムは、完全ではなくとも少なくとも実質的にコア部に向かって一方向の流体移動が行えるような単一方向性である。本明細書に用いるのに好適な巨視的に伸張されたフィルムには、例えば米国特許第６３７，８１９号及び米国特許第４，５９１，５２３号に記載されているフィルムが挙げられる。
【００８４】
本明細書に用いるのに好適な巨視的に伸張されたフィルムには、米国特許第４，６３７，８１９号及び米国特許第４，５９１，５２３号が含まれる。
好適なモノリシックフィルムには、Dupont Corporation（米国）から購入できるHytrel（商標）、及びIndex 93 Congress, Session 7A 「Adding value to Nonwovens」（J-C Cardinal and Y. Trouilhet, DuPont de Nemours International社、スイス）に記載されているその他の材料が挙げられる。
本発明に従って、バックシートは前記水蒸気透過層に加えて追加のバックシート層を有することがある。この追加の層は、バックシートの水蒸気透過層の面のどちら側にも配置することができる。追加の層はいずれの材料でも良く、例えば、繊維性層又は上記に記述したような水蒸気透過層を更に加えてもよい。
【００８５】
臭気抑制試験
臭気の減少は、例えば、インビトロ（試験管内）臭気試験によって測定する。インビトロ臭気試験は、試験対象の成分を有する製品（参照製品を含む）が臭気成分含有溶液に接触したとき、これらの製品が発する臭気を専門採点者が分析する試験である。
専門採点者は、臭気の快適さ（不快さ）についての判断を、典型的には−１０（最も不快度の高いレベル）〜５（最も快適）の快適（不快）度スケールを用いて表す。この方法では、試験を行った各採点者がＭＵ（不快さ）を比較する。異なる製品から得た相対的ＭＵ臭気の値に数値が割り当てられる。例えば、試験において、別の試料より２倍の臭気の強さを感知した試料には、２倍大きい数値が割り当てられる。また、別の試料より１０分の１の臭気の強さを感知した試料には、１０分の１の数値が割り当てられる。各試験において、中立の快適さを示すために０が用いられ、臭気の相対的な快適さ及び不快さに対する比の割合で＋及び−の数値が割り当てられる。
【００８６】
独自のインビトロ臭気試験を、経血の本質的な悪臭特性を再現した臭気成分含有溶液を用いて行ったところ、驚くべきことにこの試験において、キトサン（例えばキトソニウムピロリドンカルボン酸塩（Kytamer（登録商標））と本発明による臭気抑制剤（例えば、Degussa AGから入手可能なzeolite A, Wessalith CS、又はエチレンジアミンテトラアセテート(BASF)、又はヒドロキシプロピルβ−シクロデキストリン(Fluka)）の組み合せが、これらの成分を同じ活性物質総量で単独で使用したときと比べて、相乗的に臭気の減少をもたらすことがわかった。実際に、２つの成分を組み合せた際の不快さの減少度は、各成分を同じ活性物質総量で単独で使用したときの不快さの減少度より高かった。不快さの値は、各試料について少なくとも１５の試行（３製品、採点者５人）の平均値として得た値である。これらの結果は統計的に有意義であった。
あるいは、臭気の減少は、欧州特許第Ａ−８１１，３８７号又はＷＯ９７／４６１９１号に記述されているようなインビボ（生体内）臭気試験でも測定することができる。これらの特許文献は参照として本明細書に組み込まれている。
以下の実施態様により更に本発明を説明する。
【００８７】
（実施例）
実施例Ａ
以下の実施例で使用した女性用パッドは Procter & Gamble Company が市販している Always の製品である（Always は登録商標）。
女性用パッドはそれぞれ、穿孔カバーストックの周囲部の包装を、外部接着剤層を覆っているリリースペーパーの長手方向末端部にほぼ沿った底面で切断して開封した。次に、吸収繊維性コアの側面を、水不透過性プラスチック底面層をわずかにずらすことによって開き、繊維性コアをパッド自身の面に対して平行な面に沿ってほぼ同じ厚さになるように半分に分割した。キトサン材料及び臭気抑制剤を繊維層２層の間に均一に配置した。
次に、水不溶性内部バックシートを元の位置に戻し、穿孔カバーストックの周囲部の包装を両面テープなどを用いて切断部分に沿って閉じた。
ここで用いたキトサン粉末材料は、ニュージャージー州エジソンのAmerchol Corporationから商品名Kytamer（登録商標）PCで購入できるキトソニウムピロリドンカルボン酸塩０．２ｇである。
ここで用いた臭気抑制剤は、Degussa AGから入手できるZeolite A, Wessalith CS、０．３ｇである。
【００８８】
実施例Ｂ
実施例Ａの方法に従いつつ、用いる消臭剤をゼオライトの代わりにシクロデキストリンにして、別のパッドを作成した。ここで用いたシクロデキストリンはFlukaから購入できるヒドロキシプロピルβ−シクロデキストリン０．１ｇである。
【００８９】
実施例Ｃ
実施例Ａに従いつつ、用いる臭気抑制剤をゼオライトの代わりにキレート化剤にして、別のパッドを作成した。ここで用いたキレート化剤は、BASF AGから購入できるエチレンジアミンテトラアセテート０．１ｇである。
【００９０】
実施例Ｄ、Ｅ及びＦ
実施例Ａ、Ｂ及びＣの方法にそれぞれ従いつつ、実施例Ａ、Ｂ及びＣでそれぞれ用いたキトサン材料及び臭気抑制剤に加えて、吸収性ゲル化材料（ＡＧＭ）を繊維層２層の間に均一に分布させ、別のパッドを作成した。
ここで用いたＡＧＭは、Dow Chemicalsから入手できる架橋ポリアクリル酸ナトリウムXZ 9589001、０．４ｇである。
【００９１】
実施例Ｇ、Ｈ及びＩ
実施例Ａ、Ｂ及びＣの方法にそれぞれ従いつつ、繊維性コアを半分に分割した後、実施例Ａ、Ｂ及びＣでそれぞれ記載した吸収性ゲル化材料及び臭気抑制剤を、分割した繊維層２層の間にそれぞれ均一に分布させ、キトサン材料を繊維層の下の層（つまり、再形成したときパッドのバックシートの近くに配置する層）に均一に分布させて、別のパッドを作成した。実際には、キトサン材料の溶液を準備し、繊維層の下の層の内部に均一に噴霧した。
キトサン溶液は、Amerchol Corporationから入手できるKytamer（登録商標）PCという商品名のキトソニウムピロリドンカルボン酸塩１ｇを、蒸留水１００ｇに溶解させ、４０°Ｃで一晩攪拌して調製した。調製した溶液１０ｇを繊維層の下半分に噴霧した（即ち、パッド１枚につき、キトサン０．１ｇ）。
ここで用いたＡＧＭは、Dow Chemicalsから購入できる（商品コードXZ 9589001）架橋ポリアクリル酸ナトリウム０．４ｇである。
【００９２】
ここで用いた臭気抑制剤（種類及び量）は、実施例Ａ、Ｂ及びＣにそれぞれ記載したものである。
このように、上に記載の実施例Ａ、Ｂ及びＣで用いた臭気抑制剤に応じて、実施例Ｇ、Ｈ及びＩにそれぞれ従った様々なパッドを作成した。
【００９３】
実施例Ｊ
次の実施例で使用する婦人用パンティライナはProcter & Gamble（ドイツ）が製造している Always「Alldays Duo Active」を基に改良したパンティライナである。トップシートはフィルム／不織複合材料である（フィルムの供給元コードＢＰＣ ５１０５ ＣＰＭ ＢＰ Chemical（ドイツ）。不織の供給元コードＡＲＢＯ ＴＢ／ＢＩ Mequinenza（スペイン））。コア材料は、５５ｇ／ｍ2の坪量を有するエアレイされたティッシュの２層から構成されるティッシュラミネート（１３．２ｃｍ×４．０ｃｍ）である（供給元コード Unikay ３０３ ＬＦとしてUnikay（イタリア）から入手可能）。ティッシュ層２層間のラミネートは、キトサン材料と臭気抑制剤を共に包含する。
バックシートは第１層及び第２層の２つの層から構成される。第１層は、吸収性ティッシュ及び第２層と接触する。第２層は、第１層及び着用者の下着と接触する。第１層は低密度ポリエチレン製の成形孔あきフィルム（ＣＰＴ）である（供給元 Tredegar Film Products B.V.（オランダ）、製造コードＸ−１５２２）。第２層は不織ラミネート（１３ＭＢ／１６ＳＢ）から構成されている（製造元 Corovin GmbH（ドイツ）、商品名ＭＤ２００５）。この不織ラミネートは１６ｇ／ｍ2のスパンボンド及び１３ｇ／ｍ2のメルトブロウンから構成される。バックシートの各層は、約８ｇ／ｍ2の坪量で広範囲に重なり合った螺旋状の接着剤により、表面全体に接合している。バックシート層を貼り付けるのに使用される接着剤は、SAVARE' SpA（イタリア）から供給している（商品コードＰＭ１７）。
【００９４】
ここで用いたキトサン材料は、商品名Kytamer（登録商標） PCで、ニュージャージー州エジソンのAmerchol Corporationから購入できるキトソニウムピロリドンカルボン酸塩０．２ｇである。
ここで用いた臭気抑制剤は、Degussa AGから入手できるZeolite A, Wessalith CS、０．３ｇ又は、Flukaから購入できるヒドロキシプロピルβ−シクロデキストリン０．１ｇ又は、BASF AGから購入できるエチレンジアミンテトラアセテート（ＥＤＴＡ）０．１ｇのいずれかである。
実施例Ｊに挙げたものに基づいて、キトサン材料及び臭気抑制剤の表面にＡＧＭを組み込んだ別のパンティライナを作成することができる。更に言えば、３種類の成分を均一に混合して、ラミネートの２層間に均一に分布させる粉末を得た。ここで用いたＡＧＭは、Dow Chemicalsから購入できる（商品コードXZ 9589001）架橋ポリアクリル酸ナトリウム０．４ｇである。
上に例示したパッド及びパンティライナは全て、体液に起因する悪臭化合物に対して優れた臭気抑制特性を提供した。